(57)【要約】      （修正有）【課題】鍋物又は汁物調理における、液汁と具材を同時に／又は液汁のみ／もしくは具材のみの何れかを選択的に鍋等から取り出すことが可能で、かつ、みそ漉し又は灰汁取り等が専用調理具に取り替えることなくそのままの使用が可能なお玉杓子を提供する。【解決手段】柄部１と椀状掬い部２とからなるお玉杓子Ｓにおいて、柄部１の底部１１延長線状における椀状掬い部２を分割する仕切り部３を設ける。【選択図】図１
0003188016.tif 000002
【実用新案登録請求の範囲】
【請求項１】
柄部（１）と椀状掬い部（２）とからなるお玉杓子（Ｓ）において、前記柄部（１）の底部（１１）延長線状における前記椀状掬い部（２）を分割する仕切り部（３）を設けたことを特徴とするお玉杓子（Ｓ）。
【請求項２】
前記仕切り部（３）における一方側（Ａ）の底面（２１ａ）及び側面（２１ｂ）には、液汁（Ｗ）を滴下させるための小孔（２１ｈ）が複数穿設されていることを特徴とする請求項1記載のお玉杓子（Ｓ）。
【請求項３】
前記仕切り部（３）の高さ（Ｈ１）は、前記椀状掬い部（２）の底部（２１）から周縁頂部（２２）の高さ（Ｈ２）のほぼ１/２又はそれ以下とされていることを特徴とする請求項1又は請求項２に記載のお玉杓子（Ｓ）。
【考案の詳細な説明】
【技術分野】
【０００１】
本考案は、お玉杓子に係り、より詳しくは、鍋物又は汁物調理における、液汁と具材を同時に/又は液汁のみ/もしくは具材のみの何れかを選択的に鍋等から取り出すことが可能なお玉杓子に関する。
【背景技術】
【０００２】
お玉杓子（お玉とも略称）は、鍋物又は汁物調理に欠かせない調理具で、一般的には柄部と半球状の椀状掬い部とからなっている。鍋物又は汁物調理においては、具材と汁を同時に掬ったり、具材のみあるいは汁のみだけと使い分けるお玉杓子が提案されている。例えば、特許文献１（第４頁、図１参照）、特許文献２（第４頁、図１参照）及び特許文献３（第３頁、図１参照）等である。特許文献１は、多数の小孔を掬い椀部の柄取り付け部側に形成したことを特徴としている。特許文献２は、掬い椀内凹部上方にドーム状の延展部を設け、その延展部にスリット状又は多数の小孔や網目を設けている。特許文献３は、椀状掬い部の一側縁を上方に延設し、その延設部に複数の味噌解き用長孔部を設けたことを特徴としている。
【０００３】
しかしながら、特許文献１は、だし汁落下部分を柄取り付け部分側に形成しているので、その使用に際しては、柄を持った手ないしは手首を大きく揺動する必要があり、そのために手首等は疲れやすいという不具合がある。また特許文献２は、掬い椀上端周縁の一部が掬い椀内凹部上方の一部を覆うよう半球形のドーム状に延展して設けられた延展部を有し、そのドーム状延展部にスリット状長孔または多数の小孔や網目を設けているので、お玉杓子の重量が偏っており、使い勝手が悪いという欠点がある。また特許文献３は、椀状掬い部の一側縁を上方に延設しているので、特許文献２と同様にお玉杓子全体のバランスが悪いという欠点がある。
【先行技術文献】
【特許文献】
【０００４】
【特許文献１】実開平６−１１６５３号公報
【特許文献２】実用新案登録第３１６１２５１号公報
【特許文献３】実用新案登録第３１０３５０４号公報
【考案の概要】
【考案が解決しようとする課題】
【０００５】
本考案は、上記従来技術が有する不具合や欠点を解消するものであり、その課題は、以下の通りである。
○本考案が解決しようとする第１課題
本考案が解決しようとする第１課題は、鍋物又は汁物調理における、液汁と具材を同時に/又は液汁のみ/もしくは具材のみの何れかを選択的に鍋等から取り出すことが可能なお玉杓子を提供することである。
○本考案が解決しようとする第２課題
本考案が解決しようとする第２課題は、みそ漉し又は灰汁取り等が専用調理具に取り替えることなくそのままの使用が可能なお玉杓子を提供することである。
○本考案が解決しようとする第３課題
本考案が解決しようとする第３課題は、お玉杓子全体のバランスが保たれて、使い勝手の良いお玉杓子を提供することである。
【課題を解決するための手段】
【０００６】
上記の課題を解決するための手段は、本願における［実用新案登録請求の範囲］の各請求項に記載の考案である。
実用新案登録請求の範囲、明細書、図面等の用語の解釈上の疑義を解消すべく、以下用語の説明を行うこととする。
＊＊＊＊＊＊＊＊＊＊＊＊＊＊＊＊＊＊＊＊＊＊＊＊＊＊＊＊＊＊＊＊＊＊＊  
＜用語の説明＞
〇お玉杓子とは、お玉とも略称される鍋物料理、汁物料理に用いられる調理具をいう。素材はステンレス、硬質樹脂、木材等からなる。
〇柄部とは、お玉杓子の椀状掬い部の一端部に固着された把持部をいう。
〇椀状掬い部とは、具材や汁を掬いとるほぼ半円球をなし、柄部延長線の底面中央には具材と汁を必要に応じて取り分け可能になるように仕切り部を形成されている。
〇仕切部とは、椀状掬い部の底面に設けられた、具材と汁取り分け用の分割部をいう。
＊＊＊＊＊＊＊＊＊＊＊＊＊＊＊＊＊＊＊＊＊＊＊＊＊＊＊＊＊＊＊＊＊＊＊
課題を解決するための手段（第１考案〜第３考案）は、本願、実用新案登録請求の範囲の各請求項に記載の考案であり、具体的には、
第１考案は、請求項１に記載の考案であり、
第２考案は、請求項２に記載の考案であり、
第３考案は、請求項３に記載の考案であり、具体的な課題を解決するための手段は、以下の通りである。
【０００７】
○第１の考案（請求項１に記載の考案）
上記の課題を解決するための第１の考案（請求項１に記載の考案）は、柄部（１）と椀状掬い部（２）とからなるお玉杓子（Ｓ）において、前記柄部（１）の底部（１１）延長線状における前記椀状掬い部（２）を分割する仕切り部（３）を設けたことを特徴とするお玉杓子（Ｓ）である。
○第２の考案（請求項２に記載の考案）
上記の課題を解決するための第２の考案（請求項２に記載の考案）は、前記仕切り部（３）における一方側（Ａ）の底面（２１ａ）及び側面（２１ｂ）には、液汁（Ｗ）を滴下させるための小孔（２１ｈ）が複数穿設されていることを特徴とする請求項1記載のお玉杓子（Ｓ）である。
○第３の考案（請求項３に記載の考案）
上記の課題を解決するための第３の考案（請求項３に記載の考案）は、前記仕切り部（３）の高さ（Ｈ１）は、前記椀状掬い部（２）の底部（２１）から周縁頂部（２２）の高さ（Ｈ２）のほぼ１/２又はそれ以下とされていることを特徴とする請求項1又は請求項２に記載のお玉杓子（Ｓ）である。
【考案の効果】
【０００８】
本考案に係る、お玉杓子（Ｓ）は、上記のような特徴的構成要件から構成され、特徴的構成要件に応じた、以下のような本願考案特有の効果を奏する。また、上記の各考案に応じた、上記のような特徴的構成要件から構成されたお玉杓子（Ｓ）によれば、本願考案の課題を十分解消することができた。
○第１の考案の効果
第１の考案によれば、柄部（１）と椀状掬い部（２）とからなるお玉杓子（Ｓ）において、前記柄部（１）の底部（１１）延長線状における前記椀状掬い部（２）を分割する仕切り部（３）を設けたことを特徴とするお玉杓子（Ｓ）であることという特徴的な構成要件により、本考案が解決しようとする第１課題〜第３課題を達成することができ、当業者予測不可能な顕著な効果を奏することができた。
○第２の考案の効果
第２の考案によれば、前記仕切り部（３）における一方側（Ａ）の底面（２１ａ）及び側面（２１ｂ）には、液汁（Ｗ）を滴下させるための小孔（２１ｈ）が複数穿設されていることを特徴とする請求項1記載のお玉杓子（Ｓ）であることという特徴的な構成要件により、本考案が解決しようとする第１課題〜第３課題を達成することができ、当業者予測不可能な顕著な効果を奏することができた。
○第３の考案の効果
第３の考案によれば、前記仕切り部（３）の高さ（Ｈ１）は、前記椀状掬い部（２）の底部（２１）から周縁頂部（２２）の高さ（Ｈ２）のほぼ１/２又はそれ以下とされていることを特徴とする請求項1又は請求項２に記載のお玉杓子（Ｓ）であることという特徴的な構成要件により、本考案が解決しようとする第１課題〜第３課題を達成することができ、当業者予測不可能な顕著な効果を奏することができた。
【考案を実施するための形態】
【０００９】
以下、本考案に係る、お玉杓子（Ｓ）に関する最良の実施形態について、図面を参照しながら説明する。
図１は、本考案に係る、お玉杓子（Ｓ）の実施形態を示す斜視図である。
図２は、図１における２−２線断面図である。
11111＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
図１は、本考案に係る、お玉杓子（Ｓ）の実施形態を示すもので、お玉杓子（Ｓ）は柄部（１）と椀状掬い部（２）とから構成されている。図示するように柄部（１）の底部（１１）における延長線状には、椀状掬い部（２）を二分割するように仕切り部（３）が設けられている。椀状掬い部（２）の素材としては、ステンレス、硬質樹脂、木材等から選択される。図１及び図２に示すのは、例えば、平板状のステンレスをプレス機等により、ほぼ断面視椀状の掬い部（２）と仕切部（３）が形成される。また掬い部（２）は、硬質樹脂や木材等を素材として製作することができる。硬質樹脂材により椀状掬い部（２）を製作するには、押型成型法等により一体的に製作することができる。柄部（１）の素材としては、お玉杓子（Ｓ）がガスや電気等を熱源とする調理用具に関連した器であるために、断熱性ある硬質樹脂材、木材等を使用することが好ましい。椀状掬い部（２）の一端（２ａ）は、柄部（１）の底部（１１）でかしめ鋲（Ｋ）等により固着される。
○第１の考案の効果・第１の考案によれば、柄部（１）と椀状掬い部（２）とからなるお玉杓子（Ｓ）において、前記柄部（１）の底部（１１）延長線状における前記椀状掬い部（２）を分割する仕切り部（３）を設けたことを特徴とするお玉杓子（Ｓ）であることという特徴的な構成要件により、本考案が解決しようとする第１課題〜第３課題を達成することができ、当業者予測不可能な顕著な効果を奏することができた。
22222＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
椀状掬い部（２）の仕切り部（３）は、鍋物料理、汁物料理等における、具材と液汁（Ｗ）を必要に応じて取り分け（掬い取る）ために設けられている。仕切り部（３）における一方側（Ａ）の底面（２１ａ）及び側面（２１ｂ）には、液汁（Ｗ）を滴下させるための小孔（２１ｈ）が複数かつ多数穿設され、他方側（Ｂ）には小孔（１１ｈ）は設けられてはいない。これにより、液汁（Ｗ）のみ又は具材のみあるいは具材、液汁（Ｗ）と共に必要に応じて掬い取り、お椀等の食器に注ぐことができる。また、仕切り部（３）は、椀状掬い部（２）の中央部に設けられているので、お玉杓子（Ｓ）を使用する際は、全体的なバランスが良好である、のみならず柄部（１）を把持した手首（手）を、わずかに図２に示すＲ→Ｌのように、捻転（返し）すれば、仕切り部（３）における他方側（Ｂ）の液汁（Ｗ）は、一方側（Ａ）に移動し、底面（１１ａ）及び側面（１１ｂ）に穿設された小孔（１１ｈ）から液汁（Ｗ）は、鍋やお椀等の食器に滴下させることができる。
○第２の考案の効果・第２の考案によれば、前記仕切り部（３）における一方側（Ａ）の底面（２１ａ）及び側面（２１ｂ）には、液汁（Ｗ）を滴下させるための小孔（２１ｈ）を複数穿設していることを特徴とする請求項1記載のお玉杓子（Ｓ）であることという特徴的な構成要件により、本考案が解決しようとする第１課題〜第３課題を達成することができ、当業者予測不可能な顕著な効果を奏することができた。
33333＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
図２に示す仕切り部（３）の高さ（Ｈ１）は、前記椀状掬い部（２）の底部（２１）から周縁頂部（２２）の高さ（Ｈ２）のほぼ１/２又はそれ以下とされている。本考案に係るお玉杓子（Ｓ）は、鍋物又は汁物料理等における鍋の液面に浮上する灰汁の除去に際しては、灰汁取り用のお玉等に持ち替えることなく、仕切り部（３）における一方側（Ａ）の側面（２１ｂ）を使い、液汁（Ｗ）は鍋内に戻し、灰汁のみを鍋外に除去することができる。また、本考案に係るお玉杓子（Ｓ）を用いて、みそ漉しをするには、仕切り部（３）の一方側（Ａ）にみそを置きすりこぎ棒等により行うことができるので、みそ漉し用のお玉等に持ち替える必要がない。
○第３の考案の効果・第３の考案によれば、前記仕切り部（３）の高さ（Ｈ１）は、前記椀状掬い部（２）の底部（２１）から周縁頂部（２２）の高さのほぼ１/２又はそれ以下とされていることを特徴とする請求項1又は請求項２に記載のお玉杓子（Ｓ）であることという特徴的な構成要件により、本考案が解決しようとする第１課題〜第３課題を達成することができ、当業者予測不可能な顕著な効果を奏することができた。
【図面の簡単な説明】
【００１０】
【図１】本考案に係る、お玉杓子（Ｓ）の実施形態を示す斜視図である。
【図２】図１における２−２線断面図である。
【符号の説明】
【００１１】
Ｓ      ……お玉杓子
１      ……柄部
２      ……椀状掬い部
３      ……仕切り部
Ａ      ……仕切り部の一方側
Ｂ      ……仕切り部の他方側
１１    ……柄部の底部
２１    ……椀状掬い部の底部
２１ａ  ……底面
２１ｂ  ……側面
２１ｈ  ……小孔
Ｗ      ……液汁
【図１】
0003188016.tif 000003
【図２】
0003188016.tif 000004